(57)【要約】【課題】  極めて単純で分かりやすい手順で視聴者がインターネット上で各種のコンテンツページにアクセスすることを可能とする。【解決手段】  コンテンツページのタイトルとＵＲＬを含むコンテンツ所在データをコンテンツ仲介サイト１のサーバに登録する手段と、上記サイトにアクセスした端末の視聴者がそこに登録されたコンテンツ所在データのタイトルを選択してコンテンツページにアクセスされるシステムにおいて、視聴者の端末１０上でブラウズ可能な複数の番組表ページに各コンテンツ所在データのタイトルを振り分けて表示するとともに、これらの番組表ページにリンクするボタン２を行方向と列方向のマトリクス状に配列されるチャンネル番号としてコンテンツページ選択のインデックスページに表示する。【選択図】      図３
2012098918.tif 000002
【特許請求の範囲】
【請求項１】
ＷＷＷ上に公開されたコンテンツページのタイトルとＵＲＬを含むコンテンツ所在データをＷＷＷ上のコンテンツ仲介サイトのサーバに登録する手段と、上記サイトにアクセスしたＷＷＷ上の端末の視聴者がそこに登録されたコンテンツ所在データのタイトルを選択する手段を有し、所望のタイトルを選択することにより視聴者の端末が上記タイトルとリンクさせたＵＲＬを介してコンテンツページにアクセスされるシステムにおいて、視聴者の端末上でブラウズ可能な複数の番組表ページに各コンテンツ所在データのタイトルを振り分けて表示するとともに、これらの番組表ページにリンクするボタンを行方向と列方向のマトリクス状に配列されるチャンネル番号としてコンテンツページ選択のインデックスページに表示したことを特徴とするインターネットコンテンツ視聴の仲介システム。
【請求項２】
コンテンツページ選択のインデックスページにおけるマトリクス状に配列されるチャンネル番号はテレビのリモコンのテンキーを模した図形として表示される請求項１記載のインターネットコンテンツ視聴の仲介システム。
【請求項３】
番組表ページにおいて、各コンテンツ所在データのタイトルは行方向と列方向のマトリクス状に配されるとともに、各行および列には文字または数字または記号またはこれらからなる符号を付された請求項１または２記載のインターネットコンテンツ視聴の仲介システム。
【請求項４】
ＷＷＷ上に公開されるコンテンツページまたは当該コンテンツページに係る媒体に、コンテンツページの所在データを登録したコンテンツ仲介サイトにおけるコンテンツページ選択のインデックスページのチャンネル番号がコンテンツ仲介サイト名とともに表示される請求項１から３のいずれかに記載のインターネットコンテンツ視聴の仲介システム。
【請求項５】
ＷＷＷ上に公開されるコンテンツページまたは当該コンテンツページに係る媒体に、コンテンツページの所在データを登録したコンテンツ仲介サイトにおけるコンテンツページ選択のインデックスページのチャンネル番号および当該チャンネル番号に対応した番組表ページにおけるタイトル表示位置の行および列の符号がコンテンツ仲介サイト名とともに表示される請求項３記載のインターネットコンテンツ視聴の仲介システム。
【発明の詳細な説明】
【技術分野】
【０００１】
この発明は、視聴者がインターネット上で各種のコンテンツページにアクセスすることを支援するインターネットコンテンツ視聴の仲介システムに関する。
【背景技術】
【０００２】
インターネットは現代では生活に欠かせない情報の手段として定着し、単なる通信の手段に止まらず、各種の情報を得たり、発信するための手段として広く活用されている。例えば企業においては自社の製品やサービスを広告する手段として、公的機関においては公報手段として、娯楽や文化の分野においては映像や音楽を配信する手段として、個人においては自己の作品を発表したり、自己表現をする手段として利用されている。これらはホームページやブログなど（以下、「コンテンツページ」と称する。）を通じてＷＷＷ上で公開され、誰でも視聴できる状態におかれている。
【０００３】
一方、通信速度や画像・音声の処理技術の向上により、コンテンツページにおける静止画像はもとより動画や音声もまるでテレビを見るような感覚で違和感なくパソコンなどのモニター上で視聴できるようになっている。
【０００４】
以上のように、ＷＷＷ上には世界中のコンテンツページが誰でも視聴できる状態で公開されており、視聴者はパソコンや携帯電話、それにインターネット機能付きのＡＶ機器などの端末機器を通じて居ながらにして無限ともいうべきコンテンツページにアクセスすることができる環境にいる。これは経済、文化、娯楽の側面から見た場合、無視できないインフラストラクチャーである。
【先行技術文献】
【特許文献】
【０００５】
【非特許文献１】インターネットホームページ「ＩＴ用語辞典」http://e-words.jp/w/E3839DE383BCE382BFE383ABE382B5E382A4E38388.html
【発明の概要】
【発明が解決しようとする課題】
【０００６】
ところで、視聴者が前記のコンテンツページにアクセスするに際しては、そのＵＲＬ（Uniform Resource Locator）を端末に入力してインターネット上のリソースであるコンテンツページに辿り着かなければならない。周知のように、リソースの住所であるＵＲＬは重複を避けるために多数の文字により記載されており、特にコンテンツページがインデックスページに存在しない場合はその文字数は長大であり、とても覚えるきれるものではない。よって、インターネット外の例えば印刷物やテレビ、ラジオなどの媒体を通じて、視聴したいコンテンツページの存在を知ったとしても、実際にインターネットを介してそのコンテンツページにアクセスするにはそのＵＲＬを一字一句正確に記録しておかなければならない。すなわち、うろ覚えではアクセスは不可であり、折角素晴らしいコンテンツページの存在を知ったとしても結局アクセスできない場合が多々あった。
【０００７】
一方、ＵＲＬを知っていたとしても、それを正確に端末に入力する作業は結構億劫であり、特にキーボード操作に不慣れな高齢者にとっては入力が困難であった。また、キーボード操作に馴れた者にとっても、トグル入力を採用している携帯電話での入力は大変億劫であり、画面上の仮想キーボードにカーソルを移動して入力するインターネット機能付きのテレビでの入力も大変億劫であった。
【０００８】
前記の場合、一旦入力したＵＲＬはブックマーク機能を利用してパソコンや携帯電話に記憶させておくこともできるが、ブックマークが多くなると収集がつかなくなり、視聴者においてよほどうまく整理しておかないと目的のものを迅速に取り出せなかった。
【０００９】
他方、検索エンジンを利用して、キーワードから所望のコンテンツページを検索することも広く行なわれている。しかしながら、この場合、同時にヒットするノイズも多く、常に検索結果の上位にヒットすることが期待できるようなアクセス数が多いコンテンツページ以外の場合は検索作業は容易ではなかった。
【００１０】
また、多数のコンテンツページへのリンクボタンを網羅したポータルサイトも広く使用されている（非特許文献１）。しかしながら、ポータルサイトの場合は視聴者がポータルサイトの中でそこに収録されたコンテンツページを探すものであり、なにを収録するかはポータルサイト側の意向によるところが大きく、コンテンツページの供給者側から視聴者を積極的にポータルサイトに誘導する要素はなかった。また、収録されたコンテンツページはポータルサイト側の意向に従って分類されており、この分類が時としてコンテンツページ側の意向とそぐわなかったり、視聴者の考えているものとそずわず使いにくいことが多々あった。
【００１１】
以上の現状は、視聴者にとっては世界中のコンテンツページが誰でも視聴できる状態で公開されているにもかかわらず、所望のものにうまく辿り着けないという問題を生じさせ、コンテンツページの供給者側にとってはコンテンツページにアクセスしてくれる可能性のある潜在的な視聴者を逃す問題を生じさせていた。
【課題を解決するための手段】
【００１２】
この発明は以上の従来技術の問題点に鑑みて創作されたものであり、極めて単純で分かりやすい手順で視聴者がインターネット上で各種のコンテンツページにアクセスすることを可能とするインターネットコンテンツ視聴の仲介システムを提供することを目的とする。すなわち、この発明の仲介システムはＷＷＷ上に公開されたコンテンツページのタイトルとＵＲＬを含むコンテンツ所在データをＷＷＷ上のコンテンツ仲介サイトのサーバに登録する手段と、上記サイトにアクセスしたＷＷＷ上の端末の視聴者がそこに登録されたコンテンツ所在データのタイトルを選択する手段を有し、所望のタイトルを選択することにより視聴者の端末が上記タイトルとリンクさせたＵＲＬを介してコンテンツページにアクセスされるシステムにおいて、視聴者の端末上でブラウズ可能な複数の番組表ページに各コンテンツ所在データのタイトルを振り分けて表示するとともに、これらの番組表ページにリンクするボタンを行方向と列方向のマトリクス状に配列されるチャンネル番号としてコンテンツページ選択のインデックスページに表示したことを特徴とする。
【００１３】
また、請求項２に記載の仲介システムは、前記仲介システムにおいてコンテンツページ選択のインデックスページにおけるマトリクス状に配列されるチャンネル番号はテレビのリモコンのテンキーを模した図形として表示されることを特徴とする。
【００１４】
また、請求項３に記載の仲介システムは、前記仲介システムにおいて番組表ページにおいて、各コンテンツ所在データのタイトルは行方向と列方向のマトリクス状に配されるとともに、各行および列には文字または数字または記号またはこれらからなる符号を付されたことを特徴とする。
【発明の効果】
【００１５】
以上の構成よりなるこの発明のインターネットコンテンツ視聴の仲介システムによれば、コンテンツ仲介サイトにアクセスした視聴者はコンテンツページ選択の最初の画面（インデックスページ）において行方向と列方向のマトリクス状に配列されるチャンネル番号から番号を選択した後、次の画面でコンテンツのタイトルを選択するという２操作で目的のコンテンツページにアクセスすることができる。
【００１６】
前記の場合、コンテンツ仲介サイトにコンテンツページの所在データを登録したコンテンツページの管理者が、コンテンツページの他、インターネット外の例えば印刷物やテレビ、ラジオなどの媒体を通じて仲介サイトの名称と前記チャンネル番号を公表すれば、視聴者はそれを頼りに当該仲介サイトの名称にアクセスしチャンネル番号を選択し、対応する番組表ページから容易に目的のコンテンツページにアクセスすることができる。
【００１７】
この場合、請求項３に記載の発明のように、番組表ページにおいてコンテンツ所在データのタイトルを行方向と列方向のマトリクス状に配するとともに、各行および列に文字または数字または記号またはこれらからなる符号を付し、コンテンツページの管理者は仲介サイトの名称と前記チャンネル番号の他、上記の番組表ページの行および列の符号を公表すれば視聴者は短時間で正確に目的のコンテンツページにアクセスすることができることとなる。
【００１８】
以上の場合において、コンテンツページの管理者が公表するものは、例えば「○○○テレビ／ＣＨ．０６−Ｄ−４」あるいは「○○○テレビ６チャンネル」などの簡潔な内容のものであり、長大な内容のＵＲＬの場合と異なり容易に記憶できるものである。この場合、前者において仮に視聴者が番組表ページの行および列の符号である最後の「Ｄ−４」を聞き損なったり、忘れたりした場合であってもチャンネルの番号を覚えていれば容易に目的のコンテンツページにアクセスすることができる。
【００１９】
一方、前記したように視聴者が目的のコンテンツページにアクセスするための手段はコンテンツページ選択の最初の画面でマトリクス状に配列されるチャンネル番号から番号を選択することと、次の画面でコンテンツのタイトルを選択することだけなので、ＵＲＬのように特定の文字列を入力する文字入力作業が不要となる。よって、キーボード操作に不慣れな高齢者にとっても容易に操作ができ、トグル入力を採用している携帯電話での操作や、画面上の仮想キーボードを使用するインターネット機能付きのテレビでの操作も簡単に行なうことができる。
【００２０】
また、コンテンツページ選択のインデックスページにおいてマトリクス状に配列されるチャンネル番号をテレビのリモコンのテンキーを模した図形とすれば、子供やパソコンを敬遠する高齢者にとっても普段から馴染んでいるテレビを連想させ、先入観を抱かせずに操作してもらうことが期待できる。
【００２１】
他方、システム上もコンテンツ仲介サイトにおいて持つデータはコンテンツページのタイトルとＵＲＬを含むコンテンツ所在データのみで、コンテンツ自体のデータを持つ必要はなく、また、視聴者が目的のコンテンツページを選択した後は視聴者の端末はコンテンツページに接続され、コンテンツ仲介サイトとの接続から離脱するので負荷が少ないという利点もある。
【００２２】
以上のように、この発明のインターネットコンテンツ視聴の仲介システムは、誰でも普通のテレビを視聴するような手軽さでインターネットコンテンツにアクセスすることを可能とするので、経済、文化、娯楽の側面において大きな価値を有するインフラストラクチャーであるインターネットコンテンツを有効に活用する道を開く極めて有益な発明である。
【図面の簡単な説明】
【００２３】
【図１】この発明のインターネットコンテンツ視聴の仲介システムのハードウエアの構成を示すブロック図。
【図２】この発明のインターネットコンテンツ視聴の仲介システムのハードウエアの構成を示すブロック図。
【図３】この発明のインターネットコンテンツ視聴の仲介システムのコンテンツ仲介サイトにアクセスした際の視聴者の端末のブラウザ画面。
【図４】この発明のインターネットコンテンツ視聴の仲介システムのコンテンツ仲介サイトにアクセスした際の視聴者の端末のブラウザ画面。
【図５】この発明のインターネットコンテンツ視聴の仲介システムのコンテンツサイトのコンテンツページにリンクした際の視聴者の端末のブラウザ画面。
【図６】この発明のインターネットコンテンツ視聴の仲介システムにおける一連の手順を示すフローチャート。
【発明を実施するための形態】
【００２４】
以下、この発明のインターネットコンテンツ視聴の仲介システムの具体的実施例を添付図面に基づいて説明する。図１および図２はこの発明の実施の概要を示すブロック図である。図中符号１はこの発明の仲介システムが稼働されるコンテンツ仲介サイト、同じく２０はコンテンツページが公開されるコンテンツサイト、同じく１０は視聴者が上記の各サイトにアクセスするための視聴者端末であり、これらはインターネットのＷＷＷ３０に接続される。コンテンツ仲介サイトはこの発明の仲介システムの管理者のウエブサイトのサーバであり、ＷＷＷ上で公開されるウエブページを介して視聴者端末１０が接続され、ウエブページ上でこの発明のシステムの各種の手順が実行される。このサーバはシステムの稼働のために必要な各種のプログラムやファイルの他、コンテンツページのタイトルとＵＲＬを含むコンテンツ所在データファイルからなるデータベースを有する。コンテンツサイト２０は企業や公的機関が自らのサーバを用いてコンテンツページを公開する場合もあるし、個人がサーバの領域の提供を受けて開設するホームページやブログの場合もある。視聴者端末１０はパソコンの他、モバイル端末、モバイル端末機能を有する携帯電話、あるいはインターネット機能付きのＡＶ機器などが想定できる。
【００２５】
次に、この発明の仲介システムの手順の概要を、図６のフローチャートおよび視聴者端末に表示される図３〜図５のブラウザ画面の流れに沿って下記する。以下はコンテンツ仲介サイトとコンテンツサイトでの手順である。
手順１（Ｓ１）  
この発明の仲介システムへの登録を希望するコンテンツページの管理者は、オフラインまたはオンラインでコンテンツ仲介サイトにチャンネル登録の申し込みを行なう。
手順２（Ｓ２）  
申し込みを受けたコンテンツ仲介サイトの管理者は例えばコンテンツページの内容が公序良俗や法令に違反していないかの審査を行い、受け入れか却下を決する。
手順３（Ｓ３）  
コンテンツ仲介サイトの管理者は受け入れを決定した後は、登録希望者と対価の授受などの契約を行なった後、当該コンテンツページをインデックスページに表示されるチャンネルのうちのどの番号に振り分けるかを決定する。
手順４（Ｓ４）  
次いで、当該コンテンツページを決定されたチャンネル番号に対応した番組表ページのどの位置に登録するかを決定する。
手順５（Ｓ５）  
コンテンツ仲介サイトの管理者は前記の決定結果に基づいて、登録を受け入れたコンテンツページのタイトルとＵＲＬを含むコンテンツ所在データをコンテンツ所在データファイルに書き込んで更新する。
手順６（Ｓ６）  
前記の更新結果は同時にコンテンツ仲介サイトにアクセスした視聴者の端末上に表示されるブラウザ画面に反映される。
手順７（Ｓ７）  
コンテンツ仲介サイトからコンテンツサイトに、登録されたコンテンツページの所在データを通知する。
手順８（Ｓ８）  
コンテンツページの管理者はコンテンツページに前記所在データ２１を表示する他（図５参照）、インターネット外の例えば印刷物やテレビ、ラジオなどの媒体を通じて仲介サイトの名称と前記チャンネル番号を公表する。
【００２６】
以下は視聴者の端末とコンテンツ仲介サイトでの手順である。
手順１０〜１１（Ｓ１０〜１１）  
視聴者は視聴者端末にコンテンツ仲介サイトのＵＲＬを入力したり呼び出してコンテンツ仲介サイトにアクセスする。この段階では図１に示すように視聴者端末１０とコンテンツ仲介サイト１とが接続されている。
手順１２（Ｓ１２）  
図３に示すように、コンテンツページ選択に際して視聴者端末にはコンテンツ仲介サイトのインデックスページが表示される。ここには数字を表したボタン２を行方向と列方向のマトリクス状に配列されるチャンネル番号として表示され、視聴者はそこから任意のチャンネルを選択し実行する。この実施例においては上記のマトリクス状に配列されるチャンネル番号はテレビのリモコンのテンキーを模した図形３として表示している。  
手順１３（Ｓ１３）  
視聴者がインデックスページにおいて任意のチャンネルを選択し実行すると、図４に示すようにそれにリンクされる番組表ページに画面が切り換わる。番組表ページにおいてはコンテンツ所在データのタイトル４を行方向と列方向のマトリクス状に配するとともに、各行および列に文字または数字または記号またはこれらからなる符号を付する。ここで行方向に１から始まる数字５を、列方向にＡから始まる文字６を配している。その結果、例示されたタイトル４の位置は「Ｄ−４」で特定される。
手順１４〜１６（Ｓ１４〜１６）  
視聴者が番組表ページから任意のタイトルを選択し実行することにより、視聴者端末はリンク先のコンテンツサイト（図面では「Ｄ−４」で特定される「ＸＸＸＸ．Ｓｐｏｒｔ  Ｌｉｖｅ」）に接続される。この段階で図２に示すように視聴者端末１０はコンテンツ仲介サイト１から離脱して、コンテンツサイト２０に接続することとなる。
手順１７（Ｓ１７）  
図５に示すように、視聴者端末には選択したコンテンツサイトのコンテンツページのブラウザ画面が表示され、視聴者はコンテンツの視聴を開始する。なお、コンテンツページのブラウザ画面には本来のＵＲＬ２２の他にコンテンツー仲介サイト名と、そこにおけるチャンネル番号および番組表における所在データ２１が表示される。
【００２７】
なお、この発明のインターネットコンテンツ視聴の仲介システムにおいては、各チャンネルを例えば「洋画チャンネル」「邦画チャンネル」「スポーツチャンネル」「グルメブログチャンネル」などのようにジャンル分けして、そこにコンテンツページを振り分けてもよい。また、コンテンツページが例えばライブストリーミングでコンテンツを公開している場合は、番組表は時系列に沿って構成してもよい。
【００２８】
また、番組表ページにおける、各コンテンツ所在データのタイトルはコンテンツの内容説明やプレビュー画面とリンクさせてもよく、これらのデータを収めたファイルはコンテンツ仲介サイトではなく、コンテンツサイト側に持たせてもよい。
【符号の説明】
【００２９】
１          コンテンツ仲介サイト
２          ボタン
１０        視聴者端末
２０        コンテンツサイト
【図１】
2012098918.tif 000003
【図２】
2012098918.tif 000004
【図３】
2012098918.tif 000005
【図４】
2012098918.tif 000006
【図５】
2012098918.tif 000007
【図６】
2012098918.tif 000008